(57)【要約】【課題】折畳んだ状態での装置全体の薄型化が実現可能な携帯端末装置を提供する。【解決手段】ヒンジ部４は、第１筐体２と第２筐体３が回動する際の軸となる第１回動部４Ａと、第１筐体２及び第２筐体３が非対向状態の時に、第２筺体３が第１回動部４Ａを軸とした回動方向と直交する方向に回動する際の軸となる第２回動部４Ｂとを有する。また、第２回動部４Ｂの周りに形成された可撓性導体５の巻回部を包容する包容部３３を第２筐体３の第２主面３０から突出するように設ける。一方、第１筐体２の第１主面２０には、凹状の収容部２３を設け、第１、第２の筐体２，３が折畳まれたときに、包容部３３を凹状の収容部２３が収納するように構成した。【選択図】  図１
2004228299.tif 000002
【特許請求の範囲】
【請求項１】
第１の主面に操作部を有する第１筐体と、第２の主面に表示部を有する第２筺体と、前記第１筐体及び第２筐体を折畳自在に連結するヒンジ部と、前記ヒンジ部を通して前記第１筐体及び第２筺体を電気的に接続する可撓性導体とを備えた携帯端末装置であって、
前記ヒンジ部には、前記第１筐体及び第２筺体が開閉方向に回動する際の軸となる第１回動部を有するとともに、
前記第１筐体の前記第１の主面には、前記ヒンジ部を望む方の端面寄りに凹状の収容部を有し、かつ、
前記第２筐体の前記第２の主面には、前記ヒンジ部とに亙り前記第２筐体の前記第２の主面から突出し前記第１筐体及び第２筐体が折畳まれたときに前記収容部に収容可能な凸状の包容部を有することを特徴とする携帯端末装置。
【請求項２】
前記ヒンジ部には、前記第１筐体と第２筺体とが非対向状態の時に、前記第１筺体及び第２筐体の一方が他方に対して、前記第１回動部を軸とした回動方向と直交する方向に回動するための軸となる第２回動部を有するとともに、
前記第２回動部は、前記ヒンジ部の前記第１回動部から前記包容部に向けて延出していることを特徴とする請求項１に記載の携帯端末装置。
【請求項３】
前記可撓性導体は、前記第１回動部の回動軸の外周に巻回する巻回部と、前記第２回動部の回動軸の外周に巻回する巻回部とを有することを特徴とする請求項２に記載の携帯端末装置。
【請求項４】
前記操作部は、情報を入力するためのボタン部と、前記表示部に表示されるカーソルの移動方向を指示する方向指示ボタン部とを有するとともに、
前記方向指示ボタン部は、前記収容部に隣接して設けたことを特徴とする請求項１乃至３のいずれか１項に記載の携帯端末装置。
【発明の詳細な説明】
【０００１】
本発明は、携帯端末装置に係り、特に、電話機能、テレビ電話機能、デジタルカメラ機能などの多くの機能を備えるとともに、その小型化・薄型化を実現することができる携帯端末装置に関するものである。
【０００２】
【従来の技術】
従来の折畳み式の携帯端末装置として、例えば特許文献１に記載されたものが知られている。
即ち、この折り畳み式の携帯端末装置は、図１０に示すように、第１の主面１０１Ａに操作部１０４を有する第１筺体１０１と、第２の主面１０２Ａに画像表示部１０５を有する第２筺体１０２とが、操作部１０４と画像表示部１０５とが対向する状態で、ヒンジ部１０３により折畳み可能に連結された構成となっている。また、このヒンジ部１０３には、第１筺体１０１と第２筺体１０２とを折畳む際に使用する第１軸を設けた第１回動部（共に図示せず）と、この第１回動部の第１軸に直交して設けられた第２軸を有する第２回動部（共に図示せず）とを備えている。
【０００３】
このような構成の折畳み式の携帯端末装置では、第１筺体１０１と第２筺体１０２を開いた状態にして、第２回動部の第２軸を中心として、第２筺体１０２を１８０度回転して再び折畳むと、折畳まれた第２筺体１０２の表面に画像表示部１０５が視認可能な状態になるように、表裏両面を反転させ、折畳み状態を変更させることが可能となっている。
【０００４】
【特許文献１】
特開２００２−１１８６３３号公報（第３頁右欄中段、図２）
【０００５】
【発明が解決しようとする課題】
しかしながら、近年、携帯端末装置にあっては、画像表示部を構成する液晶部分の技術的な進歩・発達などにより、この液晶部分の薄型化が進展している。ところが、このように画像表示部の薄型化が顕著に進む一方、他の部分、例えばヒンジ部などはいろいろな理由から、薄型化が難しいといった状況がある。
【０００６】
このため、これらを取付ている筐体部分の薄型化を図る場合、ヒンジ部については筐体部分に比べて厚さが嵩んで凸状となってしまい、携帯端末装置を折畳んだ状態のときに、携帯端末装置の全体としての薄型化が困難であるという問題があった。
【０００７】
本発明は、上記問題点を鑑み、折畳んだ状態での装置の全体としての薄型化を図ることができる携帯端末装置を提供することを目的とする。
【０００８】
【課題を解決するための手段】
本発明の携帯端末装置は、第１の主面に操作部を有する第１筐体と、第２の主面に表示部を有する第２筺体と、前記第１筐体及び第２筐体を折畳自在に連結するヒンジ部と、前記ヒンジ部を通して前記第１筐体及び第２筺体を電気的に接続する可撓性導体とを備えた携帯端末装置であって、
前記ヒンジ部には、前記第１筐体及び第２筺体が開閉方向に回動する際の軸となる第１回動部を有するとともに、
前記第１筐体の前記第１の主面には、前記ヒンジ部を望む方の端面寄りに凹状の収容部を有し、かつ、
前記第２筐体の主面には、前記ヒンジ部とに亙り前記第２筐体の前記第２の主面から突出し前記第１筐体及び第２筐体が折畳まれたときに前記収容部に収容可能な凸状の包容部を有することを特徴としている。
【０００９】
この構成により、第１筺体と第２筺体を折り畳んだ時、第１筺体の第１主面反対側面側に突出する部位をなくすことができ、第１筺体と第２筺体を折り畳んだ状態で薄型化が可能となる。
【００１０】
また、本発明の携帯端末装置は、前記ヒンジ部に、前記第１筐体と第２筺体とが非対向状態の時に、前記第１筺体及び第２筐体の一方が他方に対して、前記第１回動部を軸とした回動方向と直交する方向に回動するための軸となる第２回動部を有するとともに、
前記第２回動部は、前記ヒンジ部の前記第１回動部から前記包容部に向けて延出していることを特徴としている。
【００１１】
この構成により、第１、第２の筐体を開閉動作させることができるだけではなく、これらの筐体どうしが９０度以上開放した状態で、一方の筐体を開閉方向とは直交する方向に旋回させることができるようになり、使い勝手が多用途に亙り大幅に向上する。
【００１２】
また、本発明の携帯端末装置は、前記可撓性導体が、前記第１回動部の回動軸の外周に巻回する巻回部と、前記第２回動部の回動軸の外周に巻回する巻回部とを有することを特徴としている。
【００１３】
この構成により、第１、第２の筐体を開閉動作させることができるだけではなく、これらの筐体どうしが９０度以上開放した状態で、一方の筐体を開閉方向とは直交する方向に旋回させる場合に、可撓性導体が、切断などの破損トラブルを回避でき、しかも開放動作及び旋回動作がスムースに行えるようになる。
【００１４】
また、本発明の携帯端末装置は、前記操作部が、情報を入力するためのボタン部と、前記表示部に表示されるカーソルの移動方向を指示する方向指示ボタン部とを有するとともに、前記方向指示ボタン部は、前記収容部に隣接して設けたことを特徴としている。
【００１５】
この構成により、指先が前記ヒンジ部側に向けながら方向指示指示ボタン部を操作しようとしたとき、指先がヒンジ部と当たることによる操作性の低下を回避できる。
【００１６】
【発明の実施の形態】
以下、本発明の実施の形態について、添付図面を用いて詳細に説明する。
［第１の実施の形態］
本発明の第１の実施の形態に係る携帯端末装置１は、図１に示すように、第１筐体２と、第２筐体３と、これらを開閉自在に連結するヒンジ部４と、第１筺体２と第２筐体３を電気的に接続する帯状の可撓性導体５とを備えている。
【００１７】
第１筐体２は、略矩形に近い薄板状に形成されており、この第１筐体２の上下両面のうち図１において上面２０（以下、これを第１主面とよぶ）には大きな領域を占有して操作部２１と、送話部２２と、収容部２３などとを設けている。
【００１８】
このうち、操作部２１は、情報を入力するためのボタン部２１Ａを多数配設しており、このボタン部２１Ａに隣接したヒンジ部４寄りには、前述の収容部２３を設けている。
【００１９】
収容部２３は、第１筐体２及び第２筐体３を閉じたときに、第２筐体２とヒンジ部４との間に設けた後述する凸状の包容部３３を収めるためのものであり、図４に示すように、包容部３３の突出形状に対応して相補的な凹状に形成されており、この包容部３３を収容できる（図４（Ｂ）参照）ようになっている。
【００２０】
即ち、この収容部２３は、前述したように、第１筐体の第１主面２０において、ヒンジ部４を臨む方の端面寄りに形成されており、第１主面２０と第２筐体３側の後述する第２主面３０とが互いに正対するような状態で、主面２０，３０同士が密着した状態（若しくはごく接近した状態）となるまで第１筐体２及び第２筐体３を閉じたとき（図３参照）に、第１筐体２、第２筐体３のいずれの外面からも突出するような部分がない。このため、図３に示すように、上下いずれの外面ともにフラットな平面状態に折畳むことができるようになっている。
【００２１】
また、この第１筐体２には、第１主面２０において、ヒンジ部４を臨む両端部側に、第１主面２０から突出する状態で形成した略円筒形状の回動支持部２Ａが左右一対形成されており、この回動支持部２Ａに亙って後述する第１回動部４Ａが回動自在に配設されている。
【００２２】
一方、第２筺体３は、図１に示すように、略矩形に近い薄板状に形成されており、両面のうち同図において上面３０、つまり折畳んだときに第１筐体２の操作部２１に対向する対向面（以下、これを第２主面３０とよぶ）には、大きな領域を占有する表示部３１と、受話部３２と、包容部３３などとを設けている。
【００２３】
包容部３３は、第２筐体３とヒンジ部４とを機械的に、かつ、電気的に連結させるためのものであり、第２筐体３の第２主面３０からヒンジ部４に亙り凸状に突出する状態に形成されている。即ち、この包容部３３は、前述したように、図４（Ｂ）のように主面２０，３０どうしが密着した（若しくはごく接近した）状態のところまで第１筐体２及び第２筐体３が折畳まれたときに、凹状の収容部２３に収容可能な相補的な曲率・曲面を有する凸形状に形成されている。
【００２４】
例えば、この実施の形態の包容部３３では、図５に示すように、断面略中空角型（又は断面略中空半角半円筒状などであってもよい）であって一方側の外周面の一部が斜めにカットされた固有形状など（特にこの形状に限定する必要はない）に形成されている。また、図４及び図６示すように、包容部３３の内部には、後述するヒンジ部４の一部を構成する第２回動部４Ｂの図示外の回動軸がＢ方向（図６参照）に沿って配設されているとともに、この第２回動部４Ｂの外周に可撓性導体５の後述する巻回部５１が巻設されている。
【００２５】
ヒンジ部４は、図１に示すように、第１筐体２と第２筐体３とが互いに対向するＡ方向（以下、これを開閉方向とよぶ）に回動（以下、これを開閉動作とよぶ）する際の回動軸となる第１回動部４Ａと、図２に示すように、第１筐体２と第２筐体３とが非対向状態の時に、つまり第１筐体２と第２筐体３とが９０度以上開いた状態のときに、第２筺体３が第１筺体２に対して、第１回動部８のＡ軸を中心とした回動方向とは直交するＢ方向（以下、これを旋回方向とよぶ）に回動（以下、これを旋回動作とよぶ）する際の回動軸となる第２回動部４Ｂとを有している。
【００２６】
このうち、第１回動部４Ａは、図６に示すように、略円筒状に形成されており、図１に示すように、中央部分が略円筒形状を有する筒状部材４１の内部に一体に設けられている。また、この第１回動部４Ａは、図１及び図２に示すように、両端部分が第１筐体２側の略円筒形状の回動支持部２Ａに回動自在な状態で内挿・支持されている。
【００２７】
一方、第２回動部４Ｂは、図１、図２及び図６に示すように、第１回動部４Ａの中間部分において、この第１回動部４Ａから９０度直交する方向に突出した状態で設けられており、先端部分には第２筐体３側と一体に固定するためのアングル部材４Ｃ（図６参照）を設けている。また、この第２回動部４Ｂは、筒状部材４１内部から第２筐体３方向に向けて突設した略円筒形状を有する基部４２（図１参照）の内部を通過して包容部３３（同じく、図１参照）内部に至るように設けられており、基部４２に対しては一体に固定されている。また、包容部３３及び第２筐体３は、この第２回動部４Ｂに対して、適宜の軸受け手段などを介して旋回自在に取付け支持されている。
【００２８】
可撓性導体５は、図６に示すように、途中ヒンジ部４内部を挿通させて第１筺体２側と第２筐体３側とを電気的に接続するため、例えば薄くて可撓性を有する帯状のフレキシブル基板などで構成されている。また、この可撓性導体５は、ヒンジ部４において、第１回動部４Ａでの回動動作や第２回動部４Ｂでの旋回動作に柔軟に対応できるようにするため、第１回動部４ＡのＡ軸の外周面に沿って巻回された巻回部５２と、第２回動部４Ｂの外周面に沿って巻回された巻回部５１などとを設けている。
【００２９】
以上のように構成された携帯端末装置１について、図１乃至図６を用いてその動作を説明する。
【００３０】
（１）旋回動作を行う場合：
この第１の実施の形態に係る携帯端末装置１では、第１筺体２の第１主面２０に設けられた操作部２１と、第１筺体２の第１主面２０に対向する第２筺体３の第２主面３０に設けられた表示部３１とが非対向状態（図１の状態）の時に、つまり９０度を超えて第２筐体３が開いたときに、第２筺体３が第１回動部４Ａを中心とした回動（Ａ）方向とは直交する第２回動部４Ｂを中心として、Ｂ方向に旋回（回動）させることができる。
【００３１】
従って、第２回動部４Ｂの回動軸を中心にして、第２の筺体３を旋回（回動）させることにより、図２のように、第２筺体３の表示部３１を外側に向ければ、即ち、第１筐体２に対して例えば９０度捩れた方向などに旋回させれば、使用者は、第１筐体２の側面方向に正対する状態で、第２筺体３の表示部３１での表示内容が確認可能となる。
【００３２】
この場合、第２筺体３の旋回動作を行う際に、図６において、巻回部５１は、主に第２回動部４Ｂの回動軸を中心とした回動動作を行うことにより、ヒンジ部４の内部を通り、第２筐体３内部から第１筐体２内部にまで亙って設けてある可撓性導体５は、巻回部５２が巻回半径を大小柔軟に変化させることで、旋回動作に追従して可撓性導体５の両端部などが引きずられて移動するといったことを確実に防止でき、その結果、可撓性導体５の破断トラブルなどが防止できる。
【００３３】
（２）筐体どうしを閉じ合わせて折畳む場合：
また、この第１の実施の形態に係る携帯端末装置１では、第１回動部４ＡのＡ軸を中心に第２筺体３を回動し、図４のように、図１の第１筺体２の第１主面２０に設けられた操作部２１と、第１筺体２の第１主面２０に対向する第２筺体３の第２主面３０に設けられた表示部３１とが正対するような状態で閉じ合わせれば、ぴったりと折畳むことができる。
【００３４】
即ち、これは、可撓性導体５の第２回動部４Ｂの外周に巻回された巻回部５１を包容する包容部３３を、第２筺体３の第２主面３０から突出するように設ける一方、第１筺体２の第１主面２０に凹状の収容部２３を設けているので、第１筺体２の操作部２１と第２筺体３の画像表示部３１とを正対させるような状態で、第１回動部４Ａの回動軸を中心にして第２筺体３を回動させて折畳むと、第２筺体３の包容部３３を第１筺体２の収容部２３がぴったりと収容できるわけである。
【００３５】
しかも、この第１の実施の形態では、第１筺体２と第２筺体３とを主面どうしが重合するように折畳んだ時に、第１筺体２及び第２筺体３の各外面から外側に突出する箇所がなく、第１筺体２と第２筺体３を折畳んだ状態での薄型化が可能となっている。
【００３６】
このように、第１の実施の形態によれば、第１筺体２及び第２筺体３の外面より外側に突出する箇所が全くないので、例えば机上に両面いずれを下側にして置いたときでも、安定した状態で静置させることができる。しかも、例えば、この携帯端末装置１を机上面などに静置させたときに、筐体部分の突出した稜部などが机上面に当接したり引きずるなどして机上面が傷ついたり筐体側の外面塗装が剥がれるなど、といったトラブルも回避できる。
【００３７】
［第２の実施の形態］
次に、本発明の第２の実施の形態に係る携帯端末装置１について、図７乃至図９を用いて説明する。なお、この実施の形態において、第１の実施の形態と同一部分には、同一符号を付して重複説明を避ける。
この第２の実施の形態に係る携帯端末装置１では、第１筺体２の主面２０に設けた収容部２４に隣接して方向指示ボタン部２１Ｂを設けた点が、先に述べた第１の実施の形態とは相違している。
【００３８】
この方向指示ボタン部２１Ｂは、第２筐体３の表示部３１に表示されるカーソルについて、その移動方向を使用者の意図した方向に指示する上下左右の４方向以上の指示ボタンで構成されており、通常、ボタン部２１Ａに対する操作の場合と同様に、親指などでの押圧操作が多用されている。
【００３９】
以上のように構成された、第２の実施形態に係る携帯端末装置１について、図７〜図９を用いてその動作を説明する。
本発明の携帯端末装置１では、第２筐体３の表示部３１に表示されるカーソルを、使用者の意図した方向に操作指示するときに、通常、例えば親指などにて方向指示ボタン部２１Ｂを任意に押圧することが多い。
【００４０】
この場合、方向指示ボタン部２１Ｂをヒンジ部４側の筒状部材４１のある方向に向けて押圧するときに、特に、図８に示すような第２筐体３を９０度旋回させた状態などで使用する場合に、方向指示ボタン部２１Ｂを操作中の親指の先が第２筐体３の側面に係止したり衝突したりする、といったトラブルを回避することができる。
【００４１】
即ち、もし仮に、第１筐体２の主面２０において、方向指示ボタン部２１Ｂの設置部位から先のヒンジ部４に至る端部側に収容部２３が形成されていない構成であるとすれば、図７のような状態で第２筐体３を開いたときや、図８に示すように第２筐体３を９０度旋回させた状態などの場合に、方向指示ボタン部２１Ｂを操作中の親指の先などが第２筐体３の側面に係止したり衝突したりする虞がある。
【００４２】
一方、図９に示す本実施の形態では、第１筐体２の第１主面２０において、方向指示ボタン部２１Ｂの設置部位から先のヒンジ部４に至る端部側に収容部２３が凹状に形成されているので、その収容部２３の窪んだ凹所に親指などの操作する指先を傾けて差し込むことができる。即ち、ヒンジ部４の筒状部材４１の直下に方向指示ボタン部２１Ｂを操作中の指先などを潜り込ませることで、筒状部材４１が方向指示ボタン部１４の押圧操作の妨げにならないですむ。
【００４３】
従って、本発明の第２の実施の形態の携帯端末装置１によれば、ヒンジ部４に指先などが突当たることがなく、方向指示ボタン部１４のボタン操作を確実に行うことが可能となるので、操作性が向上する。
【００４４】
このように、これまで従来の携帯端末装置では、方向指示ボタンとヒンジ部との間隔を大きくするなどの措置を講じることによって一方向指示ボタン部の操作性を向上させることができる反面、主面の大型化という弊害を招いていた。ところが、この第２の実施の形態によれば、方向指示ボタンとヒンジ部との間隔を大きく確保せずとも、操作性を向上させることができるため、第１主面２０の小型化、延いては第１筐体２及び第２筐体３の小型化を実現可能な携帯端末装置１を提供することができるようになる。
【００４５】
【発明の効果】
以上説明したように、本発明は、第１筐体及び第２筐体を折畳自在に連結するヒンジ部に、第１、第２筺体が開閉方向に回動する際の軸となる第１回動部を有するとともに、操作部を有する第１筐体の第１主面にはヒンジ部を望む方の端面寄りに、凹状の収容部を有し、かつ、表示部を有する第２筐体の第２主面には、ヒンジ部とに亙り第２筐体の主面から突出し第１、第２筐体が折畳まれたときに収容部に収容可能な凸状の包容部を有するので、折畳んだ状態での装置全体の薄型化が実現可能な携帯端末装置を提供することができるようになるものである。
【図面の簡単な説明】
【図１】本発明の第１の実施の形態に係る携帯端末装置の第１回動部の回動軸を中心として開いた状態を示す斜視図である。
【図２】本発明の第１の実施の形態に係る携帯端末装置の第２回動部の回動軸を中心として回転させた状態を示す斜視図である。
【図３】本発明の第１の実施の形態に係る携帯端末装置の第１回動部の回動軸を中心として閉じた状態を示す斜視図である。
【図４】本発明の第１の実施の形態に係る携帯端末装置のヒンジ部の構成を示す断面図であり、（Ａ）は第１回動部の回動軸を中心として閉じた状態、（Ｂ）は第１回動部の回動軸を中心として開いた状態を示すものである。
【図５】本発明の第１の実施の形態に係る携帯端末装置の巻回部を示すものであり、（Ａ）は第１の筺体部と第２の筺体部を第２回動部の回動軸を中心に回動させていないときの状態を示す図１のＡ−Ａ線断面図、（Ｂ）は第２回動部の回動軸を中心に回動させたときの状態を示す図２のＢ−Ｂ線断面図である。
【図６】本発明の第１の実施の形態に係る携帯端末装置のヒンジ部の構成を示す斜視図である。
【図７】本発明の第２の実施の形態に係る携帯端末装置の第１回動部の回動軸を中心として開いた状態を示す斜視図である。
【図８】本発明の第２の実施の形態に係る携帯端末装置の第２回動部の回動軸を中心として回転させた状態を示す斜視図である。
【図９】本発明の第２の実施の形態に係る携帯端末装置の方向指示ボタン部を押圧操作するときの状態を示す説明図である。
【図１０】従来の携帯端末装置において、第１回動部を中心として開き、第２回動部を中心として旋回させるときの状態を示す概略斜視図である。
【符号の説明】
１      携帯端末装置
２      第１筐体
２Ａ    回動支持部
２０    第１主面
２１    操作部
２１Ｂ  方向指示ボタン部
２２    送話部
２３    収容部
３      第２筐体
３０    第２主面
３１    表示部
３２    受話部
３３    包容部
４      ヒンジ部
４Ａ    第１回動部
４Ｂ    第２回動部
４Ｃ    アングル部材
４１    筒状部材
４２    基部
５      可撓性導体
５１    巻回部
５２    巻回部
Ａ      回動軸（開閉動作用）
Ｂ      回動軸（旋回動作用）
【図１】
2004228299.tif 000003
【図２】
2004228299.tif 000004
【図３】
2004228299.tif 000005
【図４】
2004228299.tif 000006
【図５】
2004228299.tif 000007
【図６】
2004228299.tif 000008
【図７】
2004228299.tif 000009
【図８】
2004228299.tif 000010
【図９】
2004228299.tif 000011
【図１０】
2004228299.tif 000012